(57)【要約】【課題】簡単な装置構成で、簡便かつ効率的に繰り返し利用可能な冷却装置を提供する。【解決手段】蓄熱材を収容した反応室、蓄熱材の吸熱反応によって生じ得る凝縮性成分を凝縮または蒸発させるための凝縮蒸発室、および凝縮性成分が反応室と凝縮蒸発室との間を移動可能なように反応室と凝縮蒸発室とを連絡する連絡部を備えるデバイスと、連絡部に設けられたバルブと、反応室に熱的に結合された選択吸収膜とを含んで成り、バルブが閉状態から開状態にされたときに、凝縮蒸発室が冷却機能を発揮し、選択吸収膜にて太陽光から得られる熱が反応室に供給された後にバルブが開状態から閉状態にされる、冷却装置。【選択図】図１
2017089931.tif 000002
【特許請求の範囲】
【請求項１】
蓄熱材を収容した反応室、蓄熱材の吸熱反応によって生じ得る凝縮性成分を凝縮または蒸発させるための凝縮蒸発室、および凝縮性成分が反応室と凝縮蒸発室との間を移動可能なように反応室と凝縮蒸発室とを連絡する連絡部を備えるデバイスと、
連絡部に設けられたバルブと、
反応室に熱的に結合された選択吸収膜と
を含んで成り、バルブが閉状態から開状態にされたときに、凝縮蒸発室が冷却機能を発揮し、選択吸収膜にて太陽光から得られる熱が反応室に供給された後にバルブが開状態から閉状態にされる、冷却装置。
【請求項２】
バルブが閉状態から開状態にされたときに、更に、反応室が加熱機能を発揮する、請求項１に記載の冷却装置。
【請求項３】
バルブの開閉を制御する制御部を更に含む、請求項１または２に記載の冷却装置。
【請求項４】
冷却装置の周囲の温度を検知する温度センサを更に含み、制御部は、温度センサにより検知された温度に基づいてバルブの開閉を制御する、請求項３に記載の冷却装置。
【請求項５】
凝縮性成分が水である、請求項１〜４のいずれかに記載の冷却装置。
【発明の詳細な説明】
【技術分野】
【０００１】
本発明は、冷却装置に関し、より詳細には繰り返し利用可能な冷却装置に関する。
【背景技術】
【０００２】
従来、例えば一般的な冷蔵庫や空気調和機（エアコンディショナー）などとして、熱媒体を蒸発、圧縮、凝縮、膨張させるサイクルを繰り返す冷却装置がよく知られている。また、特許文献１には、エンジンによって駆動される圧縮式冷凍機と、エンジンの排気ガスを熱源として動作するケミカルヒートポンプとを備えるハイブリッド冷凍車が記載されている。
【先行技術文献】
【特許文献】
【０００３】
【特許文献１】特開２０１２−１９３８７０号公報
【特許文献２】国際公開第２０１４／０２１２６２号
【発明の概要】
【発明が解決しようとする課題】
【０００４】
熱媒体を蒸発、圧縮、凝縮、膨張させるサイクルを繰り返す従来の一般的な冷却装置は、圧縮機を要するため、装置構成が複雑であり、軽量化／小型化に適さないという難点がある。また、特許文献１に記載のハイブリッド冷凍車は、圧縮機を要するため、従来の一般的な冷却装置と同様の難点があるうえに、エンジン稼働時に排気熱によって蓄熱材（反応材）を加熱して再生しているため、高温の排気熱を生じる装置にしか利用できない。
【０００５】
他方、圧縮機を要しない冷却装置として、特許文献２では、電子機器において発熱部品の温度上昇を抑制するためにケミカルヒートポンプデバイスを用いることが提案されている。特許文献２に記載のケミカルヒートポンプデバイスは、発熱部品が発熱したときに、蓄熱材が反応して発熱部品から熱を奪って蓄熱し、これにより、発熱部品の温度上昇を抑制するものである。かかるケミカルヒートポンプデバイスは電子機器内に組み込まれ、蓄熱材は、発熱部品が発熱したときにのみ受動的に再生され得るが、より汎用性が高い冷却装置を実現するには、蓄熱材の再生を能動的に行って、より効率的に繰り返し利用できるようにすることが望ましい。
【０００６】
本願発明は、簡単な装置構成で、簡便かつ効率的に繰り返し利用可能な冷却装置を提供することを目的とする。
【課題を解決するための手段】
【０００７】
本発明の１つの要旨によれば、
蓄熱材を収容した反応室、蓄熱材の吸熱反応によって生じ得る凝縮性成分を凝縮または蒸発させるための凝縮蒸発室、および凝縮性成分が反応室と凝縮蒸発室との間を移動可能なように反応室と凝縮蒸発室とを連絡する連絡部を備えるデバイスと、
連絡部に設けられたバルブと、
反応室に熱的に結合された選択吸収膜と
を含んで成り、バルブが閉状態から開状態にされたときに、凝縮蒸発室が冷却機能を発揮し、選択吸収膜にて太陽光から得られる熱が反応室に供給された後にバルブが開状態から閉状態にされる、冷却装置が提供される。
【０００８】
かかる本発明の冷却装置は、単にバルブを操作して閉状態から開状態にするだけで、凝縮蒸発室が冷却機能を発揮することができ、更に、選択吸収膜により自然エネルギーである太陽光から得られる熱を反応室に供給できるので、別途、熱の供給源を要することなく、蓄熱材を蓄熱させ、再生することができ、これにより、簡便かつ効率的に繰り返し利用（またはリユース）することができる。かかる本発明の冷却装置は、圧縮機を要しないので、装置構成が簡単で、軽量化および／または小型化に適する。
【０００９】
本発明の１つの態様において、冷却装置は、バルブが閉状態から開状態にされたときに、更に、反応室が加熱機能を発揮し得る。かかる態様によれば、冷却と加熱の双方の機能を有する冷却加熱装置が提供される。
【００１０】
本発明の１つの態様において、冷却装置は、バルブの開閉を制御する制御部を更に含んでいてよい。かかる態様において、冷却装置は、その周囲の温度を検知する温度センサを更に含んでいてよく、制御部は、温度センサにより検知された温度に基づいてバルブの開閉を制御するものであってよい。
【発明の効果】
【００１１】
本発明によれば、簡単な装置構成で、簡便かつ効率的に繰り返し利用可能な冷却装置が提供される。
【図面の簡単な説明】
【００１２】
【図１】本発明の１つの実施形態における冷却装置を模式的に示す断面図である。
【発明を実施するための形態】
【００１３】
以下、本発明の１つの実施形態における冷却装置について図面を参照しながら詳述するが、本発明はかかる実施形態に限定されるものではない。
【００１４】
図１に模式的に示すように、本実施形態における冷却装置２０は、任意の対象物を冷却（および場合により加熱）するためのデバイス３と、バルブ５と、選択吸収膜７とを有し、更に必要に応じて制御部１１と、温度センサ１３とを有していてよい。
【００１５】
デバイス３は、蓄熱材を収容した反応室３ａ、蓄熱材の吸熱反応によって生じ得る凝縮性成分を凝縮または蒸発させるための凝縮蒸発室３ｂ、および凝縮性成分が反応室３ａと凝縮蒸発室３ｂとの間を移動可能なように反応室３ａと凝縮蒸発室３ｂとを連絡する連絡部３ｃを備える。かかる構成を有するデバイス３は、ヒートポンプ（後述する化学蓄熱材を使用した場合はケミカルヒートポンプ）として理解され得る。蓄熱材の示す反応（物理変化も含む）は、ヒートポンプによる熱の移動の駆動源として理解され得、凝縮性成分は、ヒートポンプの作動媒体として理解され得る。デバイス３については、冷却装置の製造方法および使用方法に関連して、より詳細に後述する。
【００１６】
デバイス３は、デバイス３の内外で熱の出入りが可能なように、少なくとも選択吸収膜７と熱的に結合される反応室部分および冷却機能を発揮する凝縮蒸発室部分において、熱伝導性材料から構成され得る。熱伝導性材料には、任意の適切な熱伝導性材料を使用してよく、例えば金属（銅、合金、ステンレス鋼など）、酸化物（アルミナなど）、窒化物（窒化アルミニウムなど）、カーボンなどの熱の良導体を使用できる。
【００１７】
本実施形態に必須ではないが、デバイス３は、反応室３ａと凝縮蒸発室３ｂとの間において可能な限り熱的に隔離されていることが好ましい。例えば、反応室３ａと凝縮蒸発室３ｂが熱伝導性材料から構成される場合、連絡部３ｃの少なくとも一部が、熱伝導率の比較的低い材料から構成されていてよい。
【００１８】
デバイス３の連絡部３ｃに、バルブ５が設けられる。バルブ５は、任意の適切なバルブを使用してよい。例えば、バルブ５は、手動で操作されるいずれのバルブであっても、制御部１１によりその開閉状態（開度）を制御可能な電磁弁や電動弁などであってもよい。
【００１９】
デバイス３の反応室３ａに、選択吸収膜７が熱的に結合するように設けられる。なお、本発明において、反応室３ａと選択吸収膜７が「熱的に結合する」とは、選択吸収膜７から反応室３ａの内側へ（より詳細には蓄熱材に）熱を供給可能なように構成することを意味する。熱的な結合は、例えば、直接的な接触による熱伝導でもよいし、熱媒または熱伝導性部材を利用した間接的な接触による熱伝導であってもよい。
【００２０】
本実施形態の冷却装置２０は、後述する動作モードにおいて、バルブ５が閉状態から開状態にされたときに、凝縮蒸発室３ｂが冷却機能を発揮し、更に場合により、反応室３ａが加熱機能を発揮し得る。反応室３ａが加熱機能を発揮する場合、冷却装置２０は冷却加熱装置として理解される。そして、後述する再生モードにおいて、選択吸収膜７にて太陽光から得られる熱が反応室３ａに供給された後、バルブ５が開状態から閉状態にされる。動作モードを実施した後、再生モードを実施する前の期間において、バルブ５は開状態のままであっても、一旦、閉状態にされていてもよい。
【００２１】
本実施形態において必須ではないが、冷却装置２０は、バルブ５の開閉を制御する制御部１１を更に含んでいてよい。冷却装置２０は、その周囲の温度（例えば凝縮蒸発室の周囲雰囲気または凝縮蒸発室に熱的に結合され得るように接触または近接して位置する冷却対象物の温度）を検知する温度センサ１３を更に含んでいてよく、制御部１１は、温度センサ１３により検知された温度に基づいてバルブの開閉を制御するものであってよい。
【００２２】
次に、本実施形態の冷却装置２０の製造方法について例示的に説明するが、これに限定されるものではない。
【００２３】
まず、デバイス３を作製するため、蓄熱材（または蓄熱性材料）を準備する。
【００２４】
デバイス３に用いる蓄熱材は、吸熱反応によって凝縮性成分を可逆的に生じ得るものであればよい。かかる蓄熱材には、上記吸熱反応が化学反応である化学蓄熱材や、上記吸熱反応が吸着または吸収反応である吸着・吸収蓄熱材が含まれる。凝縮性成分は、冷却装置に所望される使用温度範囲において凝縮可能であればよく、蓄熱材に応じて選択され得、好ましくは水である。蓄熱材が、吸熱反応によって凝縮性成分を可逆的に生じ得る温度は、他の条件（例えばデバイス内の圧力）によって異なり得る。
【００２５】
より具体的には、化学蓄熱材としては、無機化合物の水和物および無機水酸化物などが使用され得る。より詳細には、アルカリ土類金属化合物の水和物およびアルカリ土類金属の水酸化物、例えば硫酸カルシウムや塩化カルシウムなどの水和物、カルシウムやマグネシウムの水酸化物などが挙げられる。また、水和物を形成可能な無機化合物（これは無機化合物の水和物の前駆体として理解される）、例えば酸化カルシウムも使用可能である。
【００２６】
例えば、硫酸カルシウムの半水和物は、以下の吸熱反応を示す。
【化１】
2017089931.tif 000003
式中、Ｑ１は、１６．７ｋＪ／ｍｏｌ程度であることが知られており、これは、可逆反応である。
【００２７】
また例えば、塩化カルシウムの水和物は、以下の吸熱反応を示す。
【化２】
2017089931.tif 000004
式中、ｎは水和する分子数、具体的には１、２、４、６であり得、Ｑ２は、３０〜５０ｋＪ／ｍｏｌ程度であることが知られており、これは、可逆反応である。
【００２８】
しかしながら、化学蓄熱材は、上記の例に限定されず、任意の適切な化学蓄熱材を使用してよい（例えば、アンモニアを発生し得るものであってもよい）。化学蓄熱材は、化学反応を利用して、大きい蓄熱容量を得ることができ、幅広い温度範囲で蓄熱が可能である。また、化学蓄熱材は、反応速度が比較的大きく、吸熱または発熱のタイミング制御を比較的行い易く、よって、バルブ５の開閉を所望のタイミングで実施するのに適する。
【００２９】
吸着・吸収蓄熱材としては、例えばゼオライト、シリカゲル、メソポーラスシリカ、活性炭など（以下、「ゼオライト等」とも言う）が挙げられる。かかる吸着・吸収蓄熱材は、化学蓄熱材と比べて、取り扱いが容易であり、構成を簡素化できる（例えば、腐食防止を考慮しなくてよい）という効果を奏し得る。
【００３０】
これらゼオライト等は、いずれも、例えば水を可逆的に吸着および脱着することが可能であり、水の脱着の際に吸熱現象を示す。
【化３】
2017089931.tif 000005
式中、Ｚは、ゼオライト等の組成を代表して表したものであり、その組成に応じてｘは種々の値をとり得る。Ｑ４は、具体的な組成にもよるが、例えば、ゼオライトで約３０〜８０ｋＪ／ｍｏｌであり得る。
【００３１】
ゼオライトとは、いわゆるゼオライト構造、即ち、ＳｉＯ４四面体およびＡｌＯ４四面体が頂点酸素を共有し３次元に連なった網目状構造を基本骨格として有する結晶性含水アルミノケイ酸塩を言う。ゼオライトは、通常、下記の一般式で表され得る。
（Ｍ１，Ｍ２１／２）ｍ（ＡｌｍＳｉｎＯ２（ｍ＋ｎ））・ｘＨ２Ｏ  （ｎ≧ｍ）
Ｍ１は、Ｌｉ＋、Ｎａ＋、Ｋ＋等の１価のカチオンであり、Ｍ２は、Ｃａ２＋、Ｍｇ２＋、Ｂａ２＋等の２価のカチオンである。
【００３２】
なかでも、本発明に好適に利用され得るゼオライトとしては、Ａ型ゼオライト（ＬＴＡ）、Ｘ型ゼオライト（ＦＡＵ）、Ｙ型ゼオライト（ＦＡＵ）、ベータ型ゼオライト（ＢＥＡ）、ＡｌＰＯ-５（ＡＦＩ）などである。
【００３３】
シリカゲルは、コロイド状シリカの三次元構造体であり、細孔径が数ｎｍ〜数十ｎｍ、比表面積は５〜１０００ｍ２／ｇと多孔体特性を広範囲に制御できる。また、シリカゲルの一次粒子表面はシラノールに覆われており、シラノールの影響で極性分子（水など）を選択的に吸着する。
【００３４】
メソポーラスシリカは、二酸化ケイ素を材質として均一で規則的な細孔を持つ物質で、細孔径は約２〜１０ｎｍのものを言う。
【００３５】
活性炭は、「細孔を有する多孔質の炭素質物質」で、大きな比表面積と吸着能力を持つ物質を言う。その基本骨格は炭素原子が１２０°の角度で結ばれた二次元格子の平面構造である。この二次元格子が不規則に積層して結晶格子を形成し、この結晶格子がランダムにつながったものが活性炭であり、結晶格子間の空隙が活性炭細孔であり、細孔に水が吸着する。
【００３６】
蓄熱材には、上述した化学蓄熱材および吸着・吸収蓄熱材等からなる群から選択される少なくとも１種を使用してよい。
【００３７】
反応室３ａ、凝縮蒸発室３ｂ、連絡部３ｃから成るデバイス３のパーツ（例えば筐体と蓋等）を所定の材料（例えば金属等の熱伝導性材料）から作製し、減圧下（例えば１Ｐａ程度）にて、反応室３ａに上記で準備した蓄熱材を入れ、適宜、凝縮性成分の拡散を防止するために凝縮蒸発室３ｂを（例えば液体窒素等で）十分に冷却しながら、凝縮蒸発室３ｂに凝縮性成分を入れて、連絡部３ｃにバルブ５を設置しつつ、デバイス３のパーツを密閉する。
【００３８】
反応室３ａに対して、任意の適切なタイミングで、選択吸収膜７が熱的に結合するように配置する。選択吸収膜７は、太陽光をよく吸収すると共に放射熱損失を小さくしたものであり、具体的には、可視〜近赤外領域（波長約３００ｎｍ〜２．５μｍ）、特に可視領域（波長約３００〜８００ｎｍ）において吸収率が高く、赤外〜遠赤外領域（波長約３．０〜２０μｍ）において放射率が低い膜であればよい。かかる選択吸収膜は、既知の選択吸収膜（例えば特公平１−５２４７０号公報に記載されるようなもの）であってよく、また、市販で入手可能（例えばBlueTech社より商品名「エタプラス（eta plus）」で販売されている）である。特に限定されるものではないが、選択吸収膜は、金属（例えばアルミニウム、銅、ステンレス鋼）などの基材上に、少なくとも太陽光の吸収層をＰＶＤなどの真空メッキ法、電解処理法、化成処理法などの任意の適切な方法で形成した膜であり得る。吸収層は、例えばクロム系材料（酸化クロム、ブラッククロム）やニッケル系材料（酸化ニッケル、ブラックニッケル）などの単層または積層体であってよいが、これらに限定されない。吸収層は、赤外線反射層の上、反射防止層および／または誘電体層（例えば酸化スズ、酸化ケイ素などの層）の下に配置されていてもよい。
【００３９】
次に、上記で得られた密閉したデバイス３のバルブ５を開状態として、反応室３ａ（より詳細には蓄熱材）に任意の方法で熱を供給し、反応室３ａ内の蓄熱材に取り込まれて（より詳細には、化学反応および／または吸着・吸収等されて）いる凝縮性成分を、蓄熱材から脱離させて、凝縮蒸発室３ｂに移動させて凝縮させる。凝縮性成分が蓄熱材から十分に脱離し、反応室３ａから凝縮蒸発室３ｂへ十分に移動したら、バルブ５を閉状態にし、反応室３ａへの熱供給を終了する。これにより、凝縮性成分が平衡状態に比較して反応室３ａより凝縮蒸発室３ｂにリッチに存在した非平衡状態にてバルブ５が閉状態とされたデバイス３を得ることができる。
【００４０】
なお、本発明において、「平衡状態」とは、反応室と凝縮蒸発室との間で、凝縮性成分が移動可能であっても（または連絡部のバルブを開状態にしても）、見かけ上、実質的に移動せず、従って、デバイスの内外で熱の出入りが見かけ上、実質的に生じない状態を言い、「非平衡状態」とは、かかる平衡状態にないことを意味する。
【００４１】
必要に応じて、上記で得たバルブ５付きのデバイス３を、図１に示すように制御部１１および温度センサ１３と接続して組み立てる。制御部１１および温度センサ１３には、市販のものを使用してよい。
【００４２】
次に、本実施形態の冷却装置２０の使用方法について説明する。
【００４３】
冷却装置２０のデバイス３は、未使用の状態において、上述のように反応室３ａと凝縮蒸発室３ｂとの間で非平衡状態に維持するようにバルブ５が閉じた状態とされている。
【００４４】
（動作モード）
動作モードにおいて、単にバルブ５を閉状態から開状態にすることにより、冷却装置２０が冷却機能および場合により加熱機能を発揮するように動作する。例えばバルブ５を手動で操作してバルブ５が閉状態から開状態にしてもよく、あるいは、温度センサ１３で検知される温度（例えば凝縮蒸発室３ａの周囲雰囲気または冷却対象物の温度）が所定の上限閾値を上回ったとき、または、予め設定した所定の時間が経過したとき等に制御部１１によりバルブ５を操作して閉状態から開状態にしてもよい。
【００４５】
バルブ５が閉状態から開状態にされたとき、デバイス３は反応室３ａと凝縮蒸発室３ｂとの間で非平衡状態から平衡状態に向かってシフトする。ここで、非平衡状態は、凝縮性成分が平衡状態に比較して反応室３ａより凝縮蒸発室３ｂにリッチに存在している状態であり、バルブ５が閉状態から開状態にされると、気体状態の凝縮性成分が凝縮蒸発室３ｂから連絡部３ｃを通って反応室３ａへと移動し、反応室３ａの蓄熱材による吸熱反応の逆反応が進行し（より詳細には、吸熱反応の速度が逆反応の速度を下回り）、凝縮性成分が蓄熱材に取り込まれ、このため、凝縮蒸発室３ｂで凝縮性成分の蒸発が進行する（より詳細には、凝縮性成分の蒸発速度が凝縮速度を上回る）。
【００４６】
凝縮蒸発室３ｂで凝縮性成分が蒸発する際に、凝縮蒸発室３ｂの壁部（熱伝導性材料から構成される部分）が露出している周囲雰囲気または該壁部が熱的に結合され得る冷却対象物（図示せず）から熱が奪われて凝縮蒸発室３ｂへ移動し、これにより、周囲雰囲気または冷却対象物が冷却される。この結果、凝縮蒸発室３ｂが冷却機能を発揮して、周囲雰囲気または冷却対象物の温度を低下させ得る。
【００４７】
また、反応室３ａで蓄熱材による吸熱反応の逆反応が進行する際に、反応室３ａの壁部（熱伝導性材料から構成される部分）が露出している周囲雰囲気または該壁部が熱的に結合され得る加熱対象物（図示せず）へ熱が伝導されて加熱されてもよい。この結果、反応室３ａが加熱機能を発揮して、周囲雰囲気または加熱対象物の温度を上昇させ得る。しかしながら、反応室３ａが加熱機能を発揮することは本発明に必須ではなく、反応室３ａの選択吸収膜７と熱的に結合されている部分を除く部分は、断熱性の材料から構成されていてよく、この結果、反応室３ａが加熱機能を発揮しなくなっていてもよい。
【００４８】
動作モードを積極的に終了または中断させたい場合、換言すれば、冷却機能および場合により加熱機能を停止または中断させたい場合には、バルブ５を開状態から閉状態に戻してもよい。例えばバルブ５を手動で操作して開状態から閉状態に戻してもよく、あるいは、温度センサ１３で検知される温度（例えば凝縮蒸発室３ａの周囲雰囲気または冷却対象物の温度）が所定の下限閾値を下回ったとき、または、予め設定した所定の時間が経過したとき等に制御部１１によりバルブ５を操作して開状態から閉状態に戻してもよい。
【００４９】
しかしながら、このことは必須ではなく、バルブ５を開状態のまま維持してよい。バルブ５を開状態のまま維持すると、デバイス３は実質的に平衡状態に達して、冷却機能および場合により加熱機能は自然に停止され得る。
【００５０】
（再生モード）
動作モードを実施した後、再び動作モードを実施するに先立って、再生モードにおいて、デバイス３の蓄熱材を再生させる。具体的には、バルブ５を開状態として、選択吸収膜７に太陽光を照射して、選択吸収膜７にて太陽光から得られる熱を反応室３ａ（より詳細には蓄熱材）に供給し、反応室３ａ内の蓄熱材に取り込まれている凝縮性成分を、蓄熱材から脱離させて、凝縮蒸発室３ｂに移動させて凝縮させる。凝縮性成分が蓄熱材から十分に脱離し、反応室３ａから凝縮蒸発室３ｂへ十分に移動したら、バルブ５を閉状態にすると共に、選択吸収膜７への太陽光照射を停止して反応室３ａへの熱供給を終了する。これにより、太陽光によって蓄熱材を再び蓄熱させること、すなわち再生することができ、凝縮性成分が平衡状態に比較して反応室３ａより凝縮蒸発室３ｂにリッチに存在した非平衡状態にてバルブ５が閉状態とされたデバイス３を再び得ることができる。
【００５１】
選択吸収膜７への太陽光の照射は、例えば、選択吸収膜７の受光面のカバーを取り外して太陽光に曝すことによって実施してよい。カバーの取り外しおよび取り付けは、手動で行っても、機械的および／または電気的に行ってもよい。
【００５２】
再生モードを実施した後、再び動作モードを実施でき、これにより、本実施形態の冷却装置２０は繰り返し利用することができる。
【００５３】
本実施形態の冷却装置によれば、単にバルブを操作して閉状態から開状態にするだけで、凝縮蒸発室が冷却機能を発揮することができ、更に、選択吸収膜により太陽光から得られる熱を反応室に供給できるので、自然エネルギーを利用して蓄熱材を再生することができる。かかる本実施形態の冷却装置は、簡便かつ効率的に繰り返し利用（またはリユース）することができる。本実施形態の冷却装置は、上述したデバイス、バルブ等の部材から構成され、装置構成が簡単で、軽量化および／または小型化に適する。
【産業上の利用可能性】
【００５４】
本発明の冷却装置は、選択吸収膜で太陽光を受けることができる限り、任意の冷却および／または加熱用途に使用され得る。
【符号の説明】
【００５５】
３  デバイス
３ａ  反応室
３ｂ  凝縮蒸発室
３ｃ  連絡部
５  バルブ
７  選択吸収膜
１１  制御部
１３  温度センサ
２０  冷却装置
【図１】
2017089931.tif 000006